(57)【要約】【課題】  電磁妨害波を測定分析したときの分析結果を分かりやすく表示する。【解決手段】  電磁妨害波測定分析システムでは、電磁妨害波を表す妨害波データを測定し、この妨害波データから妨害波パラメータを検出し、この妨害波パラメータからクラスタリング位置情報を演算する。そして、例えば、ｘ軸とｙ軸を基準とした２次元平面を構成し、クラスタリング位置情報の一方の情報要素をｘ座標とし、他方の情報要素をｙ座標として、各クラスタリング位置情報に対応する妨害波データを示す内容として、例えばＤａｔａ１，Ｄａｔａ２，…，Ｄａｔａ２４を、ｘ座標とｙ座標で決まる位置に表示させる。【選択図】図４
2006003314.tif 000002
【特許請求の範囲】
【請求項１】
電磁妨害波を表す妨害波データとして当該電磁妨害波の時間波形と周波数スペクトルの少なくとも一方を測定する妨害波データ測定手段と、
この妨害波データ測定手段で測定された妨害波データを記憶する妨害波データ記憶手段と、
この妨害波データ記憶手段に記憶された複数の妨害波データのそれぞれにつき、１種以上の妨害波パラメータを検出する妨害波パラメータ検出手段と、
前記複数の妨害波データのそれぞれにつき、該妨害波データから前記妨害波パラメータ検出手段が検出した妨害波パラメータを用いて、予め設定された次元数と同数の情報要素からなるクラスタリング位置情報を演算するクラスタリング位置情報演算手段と、
前記予め設定された次元数に応じた形態を有する同一の表示領域の、前記演算された各クラスタリング位置情報が示す位置に、該クラスタリング位置情報に対応する妨害波データを示す内容を表示させる表示制御手段と
を備えることを特徴とする電磁妨害波測定分析システム。
【請求項２】
前記妨害波データ測定手段は、該妨害波データ測定手段で測定した妨害波データを、前記電磁妨害波のレベルが予め設定されたレベルを越えたときに、前記妨害波データ記憶手段に記憶させることを特徴とする請求項１記載の電磁妨害波測定分析システム。
【請求項３】
前記妨害波データを前記妨害波データ記憶手段に記憶させるための外部トリガ信号を受信する外部トリガ信号受信手段を備え、該外部トリガ信号受信手段は、当該外部トリガ信号を受信したときに前記妨害波データ測定手段に対し該妨害波データ測定手段で測定した妨害波データを前記妨害波データ記憶手段に記憶させるように指示することを特徴とする請求項１または２記載の電磁妨害波測定分析システム。
【請求項４】
前記妨害波データ測定手段は、
時間波形と周波数スペクトルの少なくとも一方の測定を予め終了しておき、前記外部トリガ信号受信手段からの指示の際に、測定の終了したものを前記妨害波データ記憶手段に記憶させる方法、
時間波形と周波数スペクトルの少なくとも一方の測定を開始しておき、前記外部トリガ信号受信手段からの指示の際に測定を終了し、当該測定の終了したものを前記妨害波データ記憶手段に記憶させる方法、
時間波形と周波数スペクトルの少なくとも一方の測定を、前記外部トリガ信号受信手段からの指示の際に開始し、該開始した測定を終了し、該測定の終了したものを前記妨害波データ記憶手段に記憶させる方法
のいずれかの方法を行うことを特徴とする請求項３記載の電磁妨害波測定分析システム。
【請求項５】
前記妨害波パラメータ検出手段は、複数の時間波形のそれぞれにつき、１種以上の妨害波パラメータを検出する場合の当該１種以上の妨害波パラメータとして、
任意の時間区間での電磁妨害波のレベルのピーク値、
当該レベルの平均値、
当該レベルの実効値、
並びに当該レベルの時間変化率、
の中から１種以上を検出することを特徴とする請求項１ないし４のいずれかに記載の電磁妨害波測定分析システム。
【請求項６】
前記妨害波パラメータ検出手段は、複数の周波数スペクトルのそれぞれにつき、１種以上の妨害波パラメータを検出する場合の当該１種以上の妨害波パラメータとして、
任意の周波数帯域での電磁妨害波のスペクトルのピーク値、
当該スペクトルの平均値、
当該スペクトルの実効値、
当該スペクトルの包絡線のピーク値、
当該包絡線の平均値、
当該包絡線の実効値、
任意の周波数帯域でのスペクトル量で定義されるエネルギー、
並びに当該エネルギーの時間変化率、
の中から１種以上を検出することを特徴とする請求項１ないし５のいずれかに記載の電磁妨害波測定分析システム。
【請求項７】
前記妨害波データ測定手段で測定された妨害波データの識別情報を含むレコードであって、当該妨害波データの測定日時、当該妨害波データ、該妨害波データにつき前記妨害波パラメータ検出手段で検出された妨害波パラメータ、当該妨害波データにつき前記クラスタリング位置情報演算手段で演算されたクラスタリング位置情報の内の１つ以上を記憶するレコードを、妨害波データ毎に有するデータベースを備えることを特徴とする請求項１ないし６のいずれかに記載の電磁妨害波測定分析システム。
【請求項８】
電磁妨害波を表す妨害波データとして当該電磁妨害波の時間波形と周波数スペクトルの少なくとも一方を測定し、
測定された妨害波データを記憶する妨害波データ記憶手段に当該妨害波データを記憶させ、
前記妨害波データ記憶手段に記憶された複数の妨害波データのそれぞれにつき、１種以上の妨害波パラメータを検出し、
前記複数の妨害波データのそれぞれにつき、該妨害波データから検出された妨害波パラメータを用いて、予め設定された次元数と同数の情報要素からなるクラスタリング位置情報を演算し、
前記予め設定された次元数に応じた形態を有する同一の表示領域の、前記演算された各クラスタリング位置情報が示す位置に、該クラスタリング位置情報に対応する妨害波データを示す内容を表示させる
ことを特徴とする電磁妨害波測定分析方法。
【請求項９】
測定した妨害波データを、前記電磁妨害波のレベルが予め設定されたレベルを越えたときに、前記妨害波データ記憶手段に記憶させることを特徴とする請求項８記載の電磁妨害波測定分析方法。
【請求項１０】
測定した妨害波データを前記妨害波データ記憶手段に記憶させるための外部トリガ信号を受信し、当該外部トリガ信号を受信したときに妨害波データを前記妨害波データ記憶手段に記憶させるように指示することを特徴とする請求項８または９記載の電磁妨害波測定分析方法。
【請求項１１】
時間波形と周波数スペクトルの少なくとも一方の測定を予め終了しておき、前記外部トリガ信号の受信の際に、測定の終了したものを前記妨害波データ記憶手段に記憶させる方法、
時間波形と周波数スペクトルの少なくとも一方の測定を開始しておき、前記外部トリガ信号の受信の際に測定を終了し、当該測定の終了したものを前記妨害波データ記憶手段に記憶させる方法、
時間波形と周波数スペクトルの少なくとも一方の測定を、前記外部トリガ信号の受信の際に開始し、該開始した測定を終了し、該測定の終了したものを前記妨害波データ記憶手段に記憶させる方法
のいずれかの方法を行うことを特徴とする請求項１０記載の電磁妨害波測定分析方法。
【請求項１２】
複数の時間波形のそれぞれにつき、１種以上の妨害波パラメータを検出する場合の当該１種以上の妨害波パラメータとして、
任意の時間区間での電磁妨害波のレベルのピーク値、
当該レベルの平均値、
当該レベルの実効値、
並びに当該レベルの時間変化率、
の中から１種以上を検出することを特徴とする請求項８ないし１１のいずれかに記載の電磁妨害波測定分析方法。
【請求項１３】
複数の周波数スペクトルのそれぞれにつき、１種以上の妨害波パラメータを検出する場合の当該１種以上の妨害波パラメータとして、
任意の周波数帯域での電磁妨害波のスペクトルのピーク値、
当該スペクトルの平均値、
当該スペクトルの実効値、
当該スペクトルの包絡線のピーク値、
当該包絡線の平均値、
当該包絡線の実効値、
任意の周波数帯域でのスペクトル量で定義されるエネルギー、
並びに当該エネルギーの時間変化率、
の中から１種以上を検出することを特徴とする請求項８ないし１２のいずれかに記載の電磁妨害波測定分析方法。
【請求項１４】
測定された妨害波データの識別情報を含むレコードであって、当該妨害波データの測定日時、当該妨害波データ、該妨害波データにつき検出された妨害波パラメータ、当該妨害波データにつき演算されたクラスタリング位置情報の内の１つ以上を記憶するレコードを、妨害波データ毎に有するデータベースの妨害波データ、妨害波パラメータ、クラスタリング位置情報の１つ以上を用いることを特徴とする請求項８ないし１３のいずれかに記載の電磁妨害波測定分析方法。
【発明の詳細な説明】
【技術分野】
【０００１】
本発明は、電磁妨害波を測定分析したときの分析結果を分かりやすく表示できる電磁妨害波測定分析システム及び電磁妨害波測定分析方法に関するものである。
【背景技術】
【０００２】
近年、携帯電話や電源装置等の電子装置から放射される電磁波、静電気放電や雷等の自然現象に起因する電磁波、さらには、アマチュア無線やＣＢ無線等の無線電波が、電磁妨害波として、電子装置や電子デバイスの障害の要因となっている。半導体素子の高速化・低電力化に伴って、電子装置等の電磁妨害波に対する耐力は低下傾向にあるため、この種の問題はますます深刻になりつつある。
【０００３】
一方、電子装置の障害の要因となる電磁妨害波の検出手段として、これまでに電磁障害原因探査方法（特許文献１）、電磁環境計測装置（特許文献２，３）等が提案されている。これらの方法あるいは装置では、電磁妨害波の検出用のセンサや測定装置を電子装置の周辺に設置する方法により電磁妨害波を測定することができる。
【特許文献１】特開平４−１７８５６８号公報
【特許文献２】特開平４−２９４２８５号公報
【特許文献３】特開平５−２２３８６７号公報
【発明の開示】
【発明が解決しようとする課題】
【０００４】
上記従来の電磁障害原因探査方法や電磁環境計測装置は、電子装置の障害発生前後の電磁妨害波の検出に有効であるが、電磁妨害波の特性を把握する際や、あるいは電磁妨害波を測定して得た複数の妨害波データの特性を評価する際には、別装置に妨害波データを移行して分析処理する必要があった。
【０００５】
特に、複数の妨害波データの特徴について、相対的な関係や時間変動パターンを理解するには、個々の妨害波データの特性を検出し、かつ、適切に分析処理する必要があると同時に、分析した結果を容易に視覚情報として提示する仕組みが、電磁障害原因となった電磁環境を把握する上でも望まれていた。
【０００６】
つまり、従来では、電磁障害発生の原因調査を実施する際、電磁妨害波の特性を評価する際の効率上の制約があったと考えられる。
【０００７】
本発明は、上記の課題に鑑みてなされたものであり、その目的とするところは、電磁妨害波を測定分析したときの分析結果を分かりやすく表示できる電磁妨害波測定分析システム及び電磁妨害波測定分析方法を提供することにある。
【課題を解決するための手段】
【０００８】
上記の課題を解決するために、請求項１の本発明は、電磁妨害波を表す妨害波データとして当該電磁妨害波の時間波形と周波数スペクトルの少なくとも一方を測定する妨害波データ測定手段と、この妨害波データ測定手段で測定された妨害波データを記憶する妨害波データ記憶手段と、この妨害波データ記憶手段に記憶された複数の妨害波データのそれぞれにつき、１種以上の妨害波パラメータを検出する妨害波パラメータ検出手段と、前記複数の妨害波データのそれぞれにつき、該妨害波データから前記妨害波パラメータ検出手段が検出した妨害波パラメータを用いて、予め設定された次元数と同数の情報要素からなるクラスタリング位置情報を演算するクラスタリング位置情報演算手段と、前記予め設定された次元数に応じた形態を有する同一の表示領域の、前記演算された各クラスタリング位置情報が示す位置に、該クラスタリング位置情報に対応する妨害波データを示す内容を表示させる表示制御手段とを備えることを特徴とする電磁妨害波測定分析システムをもって解決手段とする。
【０００９】
請求項２の本発明は、前記妨害波データ測定手段は、該妨害波データ測定手段で測定した妨害波データを、前記電磁妨害波のレベルが予め設定されたレベルを越えたときに、前記妨害波データ記憶手段に記憶させることを特徴とする請求項１記載の電磁妨害波測定分析システムをもって解決手段とする。
【００１０】
請求項３の本発明は、前記妨害波データを前記妨害波データ記憶手段に記憶させるための外部トリガ信号を受信する外部トリガ信号受信手段を備え、該外部トリガ信号受信手段は、当該外部トリガ信号を受信したときに前記妨害波データ測定手段に対し該妨害波データ測定手段で測定した妨害波データを前記妨害波データ記憶手段に記憶させるように指示することを特徴とする請求項１または２記載の電磁妨害波測定分析システムをもって解決手段とする。
【００１１】
請求項４の本発明は、前記妨害波データ測定手段は、時間波形と周波数スペクトルの少なくとも一方の測定を予め終了しておき、前記外部トリガ信号受信手段からの指示の際に、測定の終了したものを前記妨害波データ記憶手段に記憶させる方法、時間波形と周波数スペクトルの少なくとも一方の測定を開始しておき、前記外部トリガ信号受信手段からの指示の際に測定を終了し、当該測定の終了したものを前記妨害波データ記憶手段に記憶させる方法、時間波形と周波数スペクトルの少なくとも一方の測定を、前記外部トリガ信号受信手段からの指示の際に開始し、該開始した測定を終了し、該測定の終了したものを前記妨害波データ記憶手段に記憶させる方法のいずれかの方法を行うことを特徴とする請求項３記載の電磁妨害波測定分析システムをもって解決手段とする。
【００１２】
請求項５の本発明は、前記妨害波パラメータ検出手段は、複数の時間波形のそれぞれにつき、１種以上の妨害波パラメータを検出する場合の当該１種以上の妨害波パラメータとして、任意の時間区間での電磁妨害波のレベルのピーク値、当該レベルの平均値、当該レベルの実効値、並びに当該レベルの時間変化率、の中から１種以上を検出することを特徴とする請求項１ないし４のいずれかに記載の電磁妨害波測定分析システムをもって解決手段とする。
【００１３】
請求項６の本発明は、前記妨害波パラメータ検出手段は、複数の周波数スペクトルのそれぞれにつき、１種以上の妨害波パラメータを検出する場合の当該１種以上の妨害波パラメータとして、任意の周波数帯域での電磁妨害波のスペクトルのピーク値、当該スペクトルの平均値、当該スペクトルの実効値、当該スペクトルの包絡線のピーク値、当該包絡線の平均値、当該包絡線の実効値、任意の周波数帯域でのスペクトル量で定義されるエネルギー、並びに当該エネルギーの時間変化率、の中から１種以上を検出することを特徴とする請求項１ないし５のいずれかに記載の電磁妨害波測定分析システムをもって解決手段とする。
【００１４】
請求項７の本発明は、前記妨害波データ測定手段で測定された妨害波データの識別情報を含むレコードであって、当該妨害波データの測定日時、当該妨害波データ、該妨害波データにつき前記妨害波パラメータ検出手段で検出された妨害波パラメータ、当該妨害波データにつき前記クラスタリング位置情報演算手段で演算されたクラスタリング位置情報の内の１つ以上を記憶するレコードを、妨害波データ毎に有するデータベースを備えることを特徴とする請求項１ないし６のいずれかに記載の電磁妨害波測定分析システムをもって解決手段とする。
【００１５】
請求項８の本発明は、電磁妨害波を表す妨害波データとして当該電磁妨害波の時間波形と周波数スペクトルの少なくとも一方を測定し、測定された妨害波データを記憶する妨害波データ記憶手段に当該妨害波データを記憶させ、前記妨害波データ記憶手段に記憶された複数の妨害波データのそれぞれにつき、１種以上の妨害波パラメータを検出し、前記複数の妨害波データのそれぞれにつき、該妨害波データから検出された妨害波パラメータを用いて、予め設定された次元数と同数の情報要素からなるクラスタリング位置情報を演算し、前記予め設定された次元数に応じた形態を有する同一の表示領域の、前記演算された各クラスタリング位置情報が示す位置に、該クラスタリング位置情報に対応する妨害波データを示す内容を表示させることを特徴とする電磁妨害波測定分析方法をもって解決手段とする。
【００１６】
請求項９の本発明は、測定した妨害波データを、前記電磁妨害波のレベルが予め設定されたレベルを越えたときに、前記妨害波データ記憶手段に記憶させることを特徴とする請求項８記載の電磁妨害波測定分析方法をもって解決手段とする。
【００１７】
請求項１０の本発明は、測定した妨害波データを前記妨害波データ記憶手段に記憶させるための外部トリガ信号を受信し、当該外部トリガ信号を受信したときに妨害波データを前記妨害波データ記憶手段に記憶させるように指示することを特徴とする請求項８または９記載の電磁妨害波測定分析方法をもって解決手段とする。
【００１８】
請求項１１の本発明は、時間波形と周波数スペクトルの少なくとも一方の測定を予め終了しておき、前記外部トリガ信号の受信の際に、測定の終了したものを前記妨害波データ記憶手段に記憶させる方法、時間波形と周波数スペクトルの少なくとも一方の測定を開始しておき、前記外部トリガ信号の受信の際に測定を終了し、当該測定の終了したものを前記妨害波データ記憶手段に記憶させる方法、時間波形と周波数スペクトルの少なくとも一方の測定を、前記外部トリガ信号の受信の際に開始し、該開始した測定を終了し、該測定の終了したものを前記妨害波データ記憶手段に記憶させる方法のいずれかの方法を行うことを特徴とする請求項１０記載の電磁妨害波測定分析方法をもって解決手段とする。
【００１９】
請求項１２の本発明は、複数の時間波形のそれぞれにつき、１種以上の妨害波パラメータを検出する場合の当該１種以上の妨害波パラメータとして、任意の時間区間での電磁妨害波のレベルのピーク値、当該レベルの平均値、当該レベルの実効値、並びに当該レベルの時間変化率、の中から１種以上を検出することを特徴とする請求項８ないし１１のいずれかに記載の電磁妨害波測定分析方法をもって解決手段とする。
【００２０】
請求項１３の本発明は、複数の周波数スペクトルのそれぞれにつき、１種以上の妨害波パラメータを検出する場合の当該１種以上の妨害波パラメータとして、任意の周波数帯域での電磁妨害波のスペクトルのピーク値、当該スペクトルの平均値、当該スペクトルの実効値、当該スペクトルの包絡線のピーク値、当該包絡線の平均値、当該包絡線の実効値、任意の周波数帯域でのスペクトル量で定義されるエネルギー、並びに当該エネルギーの時間変化率、の中から１種以上を検出することを特徴とする請求項７ないし１２のいずれかに記載の電磁妨害波測定分析方法をもって解決手段とする。
【００２１】
請求項１４の本発明は、測定された妨害波データの識別情報を含むレコードであって、当該妨害波データの測定日時、当該妨害波データ、該妨害波データにつき検出された妨害波パラメータ、当該妨害波データにつき演算されたクラスタリング位置情報の内の１つ以上を記憶するレコードを、妨害波データ毎に有するデータベースの妨害波データ、妨害波パラメータ、クラスタリング位置情報の１つ以上を用いることを特徴とする請求項８ないし１３のいずれかに記載の電磁妨害波測定分析方法をもって解決手段とする。
【発明の効果】
【００２２】
本発明によれば、電磁妨害波を表す妨害波データとして当該電磁妨害波の時間波形と周波数スペクトルの少なくとも一方を測定し、測定された妨害波データを記憶する妨害波データ記憶手段に当該妨害波データを記憶させ、妨害波データ記憶手段に記憶された複数の妨害波データのそれぞれにつき、１種以上の妨害波パラメータを検出し、複数の妨害波データのそれぞれにつき、該妨害波データから検出された妨害波パラメータを用いて、予め設定された次元数と同数の情報要素からなるクラスタリング位置情報を演算し、予め設定された次元数に応じた形態を有する同一の表示領域の、前記演算された各クラスタリング位置情報が示す位置に、該クラスタリング位置情報に対応する妨害波データを示す内容を表示させるので、電磁妨害波を測定分析したときの分析結果を容易に把握することができる。
【発明を実施するための最良の形態】
【００２３】
以下、本発明の実施の形態を図面を参照して説明する。
【００２４】
図１は、本発明の実施の形態に係る電磁妨害波測定分析システム１のブロック図である。電磁妨害波測定分析システム１は、１以上の電子装置、例えば電子装置２１，２２，…から放射あるいは通信回線などを経由して伝わる電磁妨害波、自然現象に起因する電磁妨害波、あるいは無線電波などの電磁妨害波を測定分析するとともに、その分析結果を表示するコンピュータシステムである。電磁妨害波測定分析システム１には、各電子装置２１，２２，…からの電磁妨害波の伝達経路や、電磁妨害波の種類など応じた、例えばアンテナや電流プローブなどの１以上のセンサとしてセンサ３１，３２，…が接続され、これらのセンサが電磁妨害波から生成した電磁妨害波信号が継続的に電磁妨害波測定分析システム１に供給される。
【００２５】
電磁妨害波測定分析システム１は、センサ３１，３２，…から供給された電磁妨害波信号をサンプリングすることにより、電磁妨害波を表す妨害波データとして電磁妨害波の時間波形を測定する時間波形測定部１１と、同様に妨害波データとして電磁妨害波の周波数スペクトルを測定する周波数スペクトル測定部１２を備える。時間波形測定部１１と周波数スペクトル測定部１２は、妨害波データ測定部（妨害波データ測定手段）を構成している。
【００２６】
また、電磁妨害波測定分析システム１は、時間波形測定部１１で測定された時間波形を一次的に記憶する半導体メモリからなる時間波形記憶部１３と、周波数スペクトル測定部１２で測定された周波数スペクトルを一次的に記憶する半導体メモリからなる周波数スペクトル記憶部１４とを備える。時間波形記憶部１３と周波数スペクトル記憶部１４は妨害波データ記憶部（妨害波データ記憶手段）を構成している。
【００２７】
また、電磁妨害波測定分析システム１は、時間波形を時間波形記憶部１３に、また周波数スペクトルを周波数スペクトル記憶部１４に記憶させるための外部トリガ信号を、例えば電子装置２１から受信する外部トリガ信号受信部１５（外部トリガ信号受信手段）を備え、外部トリガ信号受信部１５は、外部トリガ信号を受信したときに時間波形測定部１１や周波数スペクトル測定部１２に対し時間波形や周波数スペクトルを時間波形記憶部１３や周波数スペクトル記憶部１４に記憶させるように指示するようになっている。
【００２８】
また、電磁妨害波測定分析システム１は、時間波形記憶部１３に記憶された複数の時間波形のそれぞれにつき、１種以上の妨害波パラメータを検出する妨害波パラメータ検出部１６（妨害波パラメータ検出手段）を備え、この妨害波パラメータ検出部１６は、周波数スペクトル記憶部１４に記憶された複数の周波数スペクトルのそれぞれにつき、１種以上の妨害波パラメータを検出することができるようになっている。
【００２９】
電磁妨害波測定分析システム１は、時間波形記憶部１３や後述するデータベース２０に記憶された複数の時間波形（妨害波データ）、周波数スペクトル記憶部１４やデータベース２０に記憶された複数の周波数スペクトル（妨害波データ）のそれぞれにつき、該妨害波データから妨害波パラメータ検出部１６が検出した妨害波パラメータを用いて、予め設定された次元数と同数の情報要素からなるクラスタリング位置情報を演算するクラスタリング位置情報演算部１７（クラスタリング位置情報演算手段）を備える。
【００３０】
ここで、次元数について説明すると、電磁妨害波の分析結果が１次元で表示される場合の次元数に１に設定され、当該分析結果が２次元平面に表示される場合の次元数は２に設定され、当該分析結果が３次元空間に表示される場合の次元数は３に設定される。
【００３１】
また、電磁妨害波測定分析システム１は、分析結果が表示される液晶表示装置などの表示装置１８を備える。
【００３２】
また、電磁妨害波測定分析システム１は、表示装置１８に前記の次元数に応じた形態を有する同一の表示領域を構成し、その表示領域の、クラスタリング位置情報演算部１７で演算された各クラスタリング位置情報が示す位置に、該クラスタリング位置情報に対応する妨害波データを示す内容を表示させる表示制御部１９（表示制御手段）を備える。
【００３３】
また、電磁妨害波測定分析システム１は、測定された妨害波データ、検出された妨害波パラメータ、演算されたクラスタリング位置情報を記憶することが可能なデータベース２０を備える。
【００３４】
図２は、データベース２０の構成を例示する図である。
【００３５】
データベース２０は、時間波形測定部１１や周波数スペクトル測定部１２で測定された妨害波データ、つまり時間波形や周波数スペクトル毎のレコードを有する。
【００３６】
各レコードには、当該妨害波データの識別情報が記憶される。
【００３７】
また、各レコードには、当該妨害波データ（時間波形または周波数スペクトル）の測定日時、当該妨害波データ、該妨害波データにつき妨害波パラメータ検出部１６で検出された妨害波パラメータ、当該妨害波データにつきクラスタリング位置情報演算部１７で演算されたクラスタリング位置情報の内の１つ以上が記憶される。なお、図２では、次元数が２の場合のクラスタリング位置情報を例示している。
【００３８】
また、データベース２０を磁気記憶装置（ハードディスク装置）などで構成することで、電磁妨害波測定分析システム１の電源を切った場合であっても、後から妨害波データ、妨害波パラメータ、クラスタリング位置情報を利用することができる。
【００３９】
次に、上記構成とした電磁妨害波測定分析システム１が行う電磁妨害波測定分析方法を説明する。
【００４０】
電磁妨害波測定分析システム１では、時間波形測定部１１が、例えば、センサ３１から時系列的に入力される電磁妨害波信号をサンプリングすることにより電磁妨害波の時間波形を測定し、測定した時間波形を時間波形記憶部１３に記憶させる。
【００４１】
なお、時間波形測定部１１は、時間波形測定部１１で測定した時間波形を、電磁妨害波のレベルが予め設定されたレベルを越えたときに、時間波形記憶部１３に記憶させることができる。
【００４２】
また、時間波形測定部１１は、時間波形の測定を予め終了しておき、外部トリガ信号受信部１５からの指示の際に、測定の終了したものを時間波形記憶部１３に記憶させる方法、時間波形の測定を開始しておき、外部トリガ信号受信部１５からの指示の際に測定を終了し、当該測定の終了したものを時間波形記憶部１３に記憶させる方法、時間波形の測定を、外部トリガ信号受信部１５からの指示の際に開始し、該開始した測定を終了し、該測定の終了したものを時間波形記憶部１３に記憶させる方法のいずれかを選択可能にし、選択された方法で時間波形を測定し時間波形記憶部１３に記憶させることができる。
【００４３】
また、時間波形測定部１１が、時間波形記憶部１３に記憶させた時間波形をデータベース２０に記憶させることで、後から当該時間波形を用いた処理が行える。
【００４４】
また、電磁妨害波測定分析システム１では、周波数スペクトル測定部１２は、例えば、センサ３１から送信される時系列的に入力される電磁妨害波信号をサンプリングし、これを時間−周波数変換して周波数スペクトルを測定する実時間解析方法と、任意に指定した複数の通過帯域のそれぞれの中心周波数を掃引して周波数スペクトルを測定する周波数掃引同調方法のいずれかを選択することができ、選択された方法で周波数スペクトルを測定し、測定した周波数スペクトルを周波数スペクトル記憶部１４に記憶させる。
【００４５】
なお、周波数スペクトル測定部１２は、実時間解析方法と周波数掃引同調方法の内の一方の方法で周波数スペクトルを測定するようにしてもよい。
【００４６】
また、周波数スペクトル測定部１２は、周波数スペクトル測定部１２で測定した周波数スペクトルを、電磁妨害波のレベルが予め設定されたレベルを越えたときに、周波数スペクトル記憶部１４に記憶させることもできる。
【００４７】
また、周波数スペクトル測定部１２は、周波数スペクトルの測定を予め終了しておき、外部トリガ信号受信部１５からの指示の際に、測定の終了したものを周波数スペクトル記憶部１４に記憶させる方法、周波数スペクトルの測定を開始しておき、外部トリガ信号受信部１５からの指示の際に測定を終了し、当該測定の終了したものを周波数スペクトル記憶部１４に記憶させる方法、周波数スペクトルの測定を、外部トリガ信号受信部１５からの指示の際に開始し、該開始した測定を終了し、該測定の終了したものを周波数スペクトル記憶部１４に記憶させる方法のいずれかを選択可能にし、選択された方法で周波数スペクトルを測定し周波数スペクトル記憶部１４に記憶させることができる。
【００４８】
また、周波数スペクトル測定部１２が、周波数スペクトル記憶部１４に記憶させた周波数スペクトルをデータベース２０に記憶させることで、後から当該周波数スペクトルを用いた処理が行える。
【００４９】
次に、妨害波パラメータ検出部１６は、時間波形記憶部１３またはデータベース２０に記憶された複数の時間波形のそれぞれを読み出して、この読み出した時間波形から１種以上の妨害波パラメータを検出する。具体的に妨害波パラメータ検出部１６は、例えば、任意の時間区間での電磁妨害波のレベルのピーク値、当該レベルの平均値、当該レベルの実効値、当該レベルの時間変化率の中から１種以上を検出する。
【００５０】
また、妨害波パラメータ検出部１６は、周波数スペクトル記憶部１４またはデータベース２０に記憶された複数の周波数スペクトルのそれぞれを読み出して、この読み出した周波数スペクトルから１種以上の妨害波パラメータを検出する。具体的に妨害波パラメータ検出部１６は、例えば、任意の周波数帯域での電磁妨害波のスペクトルのピーク値、当該スペクトルの平均値、当該スペクトルの実効値、当該スペクトルの包絡線のピーク値、当該包絡線の平均値、当該包絡線の実効値、任意の周波数帯域でのスペクトル量で定義されるエネルギー、並びに当該エネルギーの時間変化率の中から１種以上を検出する。
【００５１】
つまり、電磁妨害波測定分析システム１では、時間波形記憶部１３や周波数スペクトル記憶部１４に記憶された時間波形や周波数スペクトルを用いるだけでなく、データベース２０に記憶されたものを選択して用いることができる。
【００５２】
なお、妨害波パラメータ検出部１６は、検出した妨害波パラメータをデータベース２０に記憶させることで、後から当該妨害波パラメータを用いた処理が行える。
【００５３】
次に、クラスタリング位置情報演算部１７では、時間波形記憶部１３やデータベース２０に記憶された複数の時間波形（妨害波データ）、周波数スペクトル記憶部１４やデータベース２０に記憶された複数の周波数スペクトル（妨害波データ）のそれぞれにつき、該妨害波データから検出された、またはデータベース２０に記憶された１種以上の妨害波パラメータが選択（読み出され）およびソートされ、入力データとして設定される。
【００５４】
つまり、電磁妨害波測定分析システム１では、クラスタリング位置情報演算部１７が、妨害波パラメータ検出部１６から妨害波パラメータを直接取得して用いるだけでなく、データベース２０に記憶されたものを読み出して用いることができる。
【００５５】
そして、クラスタリング位置情報演算部１７は、例えば自己組織化処理法（T,Kohonen,“Self-organizing maps”Springer,Berlin,Heidelberg New York［２版］，1997,）により、当該妨害波パラメータの類似度に応じて入力データをクラスタリング処理し、これにより、予め設定された次元数と同数の情報要素からなるクラスタリング位置情報を演算する。
【００５６】
このとき、クラスタリング位置情報演算部１７は、最適化処理として、所定の処理を予め設定された収束条件が満たされるまで反復して実行する。
【００５７】
なお、電磁妨害波の分析結果が１次元で表示されるように、次元数を１と設定した場合のクラスタリング位置情報は１つの情報要素からなる。また、当該分析結果が２次元平面に表示されるように、次元数を２と設定した場合のクラスタリング位置情報は２つの情報要素からなる。また、当該分析結果が３次元空間に表示されるように、次元数を３と設定した場合のクラスタリング位置情報は３つの情報要素からなる。
【００５８】
また、クラスタリング位置情報演算部１７が、演算したクラスタリング位置情報をデータベース２０に記憶させることで、後から当該クラスタリング位置情報を用いた処理が行える。
【００５９】
図３は、自己組織化処理法により妨害波データをクラスタリング解析したときのフローチャートである。
【００６０】
先ず、時間波形測定部１１や周波数スペクトル測定部１２で測定された、またはデータベース２０に記憶された複数の妨害波データのそれぞれにつき、妨害波パラメータ検出部１６で検出された、またはデータベース２０に記憶された１種以上の妨害波パラメータが選択（読み出され）およびソートされ、入力データとして設定されるとともに、クラスタリングサイズ、次元数、反復回数や収束値（収束値に達するまで反復）などの収束条件が設定される（ステップ１）。
【００６１】
クラスタリング位置情報演算部１７は、設定されたクラスタリングサイズに対応する荷重ベクトルを初期化し（ステップ２）、設定されたクラスタリングサイズに基づいて入力データを設定する（ステップＳ３）。
【００６２】
次に、クラスタリング位置情報演算部１７は、設定された入力データと荷重ベクトルの類似度が大きくなるように荷重ベクトルを更新する所定の処理を、設定された収束条件が満足するまで反復して行う（ステップ４，５）。
【００６３】
設定された収束条件が満足した場合は、表示制御部１９が表示装置１８に、設定された次元数に応じた形態を有する同一の表示領域を確保し、その表示領域の、クラスタリング位置情報演算部１７で演算された各クラスタリング位置情報が示す位置に、該クラスタリング位置情報に対応する妨害波データを示す内容を表示させる（ステップ６）。
【００６４】
図４は、２４個の妨害波データにつき、３種類の妨害波パラメータが選択され、設定された次元数が２であるときの表示例を示す図である。
【００６５】
例えば、表示制御部１９は表示装置１８に、ｘ軸とｙ軸を基準とした２次元平面を構成し、クラスタリング位置情報の一方の情報要素をｘ座標とし、他方の情報要素をｙ座標として、各クラスタリング位置情報に対応する妨害波データを示す内容として、例えばＤａｔａ１，Ｄａｔａ２，…，Ｄａｔａ２４を、ｘ座標とｙ座標で決まる位置に表示させる。
【００６６】
図４の例では、Ｄａｔａ７，Ｄａｔａ１９，Ｄａｔａ２４が隣接して表示されていることから、これらに対応する妨害波データの特性が類似していることを視覚的に判断することができる。
【００６７】
なお、次元数が１であるときは、各妨害波データに対応する内容が直線上に表示され、次元数が３であるときは、各内容が３次元空間内に表示される。
【００６８】
さらに、各妨害波パラメータの変動レベルがどのように表示されたかを示す分布情報を参照することで、各データの表示位置より、妨害波パラメータ毎の強度・変動状況を視覚的に確認することもできる。
【００６９】
以上の説明で明らかなように、電磁妨害波測定分析システム１によれば、電磁妨害波の測定と特性分析を１つのシステム上で効率的に実現できるため、電磁妨害の要因の究明や対策に要する労力やコストを低減できる。また、電磁妨害が発生した際に検出した妨害波データの個々の特徴量（妨害波パラメータ）、さらには複数のデータ間の類似度を視覚的に容易に評価確認できるという効果をもたらす。しかも、妨害波データ毎に、検出日時、時間波形、周波数スペクトル、妨害波パラメータ、クラスタリング位置情報の１つ以上をデータベースに記憶できることから、妨害波データの特徴や電磁妨害発生等に関する過去の履歴を効率的に管理できる。
【００７０】
なお、電磁妨害波測定分析システム１では、自己組織化処理法を用いる例を説明したが、この他には、k-means法（J. Han and M. kamber:“Data mining concept and techniques”, Academic Press, 2001.）、K-medoids法（L.Kauman and P.J.Rousseeuw: “Finding groups in data: An introduction to cluster analysis”, NY，John Wiley & Sons, Inc. 1990.）、ファジー型クラスタリング法（L. Kauman and P.J.Rousseeuw: “Finding groups in data: An introduction to cluster analysis”, NY, John Wiley & Sons, Inc. 1990.）等の自己組織化処理法によらないクラスタリング処理方法も同様に選択可能とし、選択された方法で処理するようにしてもよい。ここで、これら自己組織化処理法によらないクラスタリング処理方法を採用した場合、クラスタリング位置情報の代わりに、事前に指定した範囲でクラスタリング属性番号を各妨害波データに割り当てることができる。また、これらの自己組織化処理法によらないクラスタリング処理方法を採用した場合、表示装置１８への表示に関しては、（１）複数ある妨害波パラメータより１、２、３個のいずれかの範囲で任意に選択し、かつ、選択した妨害波パラメータの値を表示軸と設定して、割り当てられたクラスタリング属性番号が識別させるように妨害波データを分布表示する方法、（２）各妨害波データの識別番号とそのクラスタリング属性番号の関係のみを表示する方法、が考えられる。
【００７１】
また、電磁妨害波測定分析システム１では、時間波形測定部１１が測定した時間波形に基づく処理のみを行うようにしてもよい。この場合、周波数スペクトル測定部１２、周波数スペクトル記憶部１４は不要であり、データベース２０においても、周波数スペクトルとこれにより検出された妨害波パラメータを記憶させることが不要となる。
【００７２】
逆に、電磁妨害波測定分析システム１では、周波数スペクトル測定部１２が測定した周波数スペクトルに基づく処理のみを行うようにしてもよい。この場合、時間波形測定部１１、時間波形記憶部１３は不要であり、データベース２０においても、時間波形とこれにより検出された妨害波パラメータを記憶させることが不要となる。
【００７３】
また、電磁妨害波測定分析システム１では、妨害波データ、妨害波パラメータ、クラスタリング位置情報を記憶するデータベース２０を設けたが、表示制御部１９が時間波形記憶部１３や周波数スペクトル記憶部１４から妨害波データを、妨害波パラメータ検出部１６から妨害波パラメータを、クラスタリング位置情報演算部１７からクラスタリング位置情報を、それぞれ直接取得できるので、分析結果の表示を後から行う必要がない場合はデータベース２０は不要となる。
【図面の簡単な説明】
【００７４】
【図１】本発明の実施の形態に係る電磁妨害波測定分析システム１のブロック図である。
【図２】データベース２０の構成を例示する図である。
【図３】自己組織化処理法により妨害波データをクラスタリング解析したときのフローチャートである。
【図４】２４個の妨害波データにつき、３種類の妨害波パラメータが選択され、設定された次元数が２であるときの表示例を示す図である。
【符号の説明】
【００７５】
１…電磁妨害波測定分析システム
１１…時間波形測定部
１２…周波数スペクトル測定部
１３…時間波形記憶部
１４…周波数スペクトル記憶部
１５…外部トリガ信号受信部
１６…妨害波パラメータ検出部
１７…クラスタリング位置情報演算部
１８…表示部
１９…表示制御部
２０…データベース
２１，２２…電子装置
３１，３２…センサ
【図１】
2006003314.tif 000003
【図２】
2006003314.tif 000004
【図３】
2006003314.tif 000005
【図４】
2006003314.tif 000006